(57)【要約】【課題】防水シートの破損を防止することができ、また、防水シートを建造物に設ける作業を容易に行うことができる固定具および防水構造体を提供すること。【解決手段】固定具３は、防水シート４と、防水シート４の下面側に設けられた面ファスナー５とを備える面ファスナー付き防水シート２を建造物の躯体１０に固定するものである。この固定具３は、板片６と、板片６の下面側に設けられ、躯体１０に板片６を固定する固定部であるビス８と、板片６の上面から上方に向かって突出し、防水構造体１の面ファスナー５の一部と係合する複数の突起７１を有する面ファスナー７とを備えている。突起７１は、ピン状の突起本体７１１と、突起本体７１１の先端部に設けられ、面ファスナー５と係合する頭部７１２とを有している。【選択図】図１
2013133612.tif 000002
【特許請求の範囲】
【請求項１】
防水シートと、前記防水シートの裏面側に設けられた防水シートの面ファスナーとを有する面ファスナー付き防水シートを建造物に固定する固定具であって、
板片と、
前記板片の一方の面側に設けられ、前記建造物に前記板片を固定する固定部と、
前記板片の他方の面から突出し、前記防水シートの面ファスナーの一部に係合する複数の突起を有する固定具の面ファスナーと、を備える固定具。
【請求項２】
前記突起は、ピン状の突起本体と、前記突起本体の先端部に設けられ、前記防水シートの面ファスナーと係合する頭部とを有する請求項１に記載の固定具。
【請求項３】
前記固定部は、前記板片を貫通して前記建造物に前記板片を固定する棒状部を有している請求項１または２に記載の固定具。
【請求項４】
前記板片は、樹脂材料で構成されている請求項１ないし３のいずれかに記載の固定具。
【請求項５】
前記板片は、樹脂材料で構成された第１の層と、金属材料で構成された第２の層とが積層された積層体であり、
前記突起は、前記第１の層から突出し、前記固定部は、前記第２の層側に設けられている請求項１ないし４のいずれかに記載の固定具。
【請求項６】
前記突起は、樹脂材料で構成され、前記板片の全部または一部と一体的に成形されたものである請求項１ないし５のいずれかに記載の固定具。
【請求項７】
前記板片の前記他方の面側に設けられ、前記固定具の面ファスナーと係合した前記防水シートの面ファスナーを接着する接着剤を有する請求項１ないし６のいずれかに記載の固定具。
【請求項８】
防水シートと、前記防水シートの裏面側に設けられた防水シートの面ファスナーとを有する面ファスナー付き防水シート、および、
請求項１ないし７のいずれかに記載された複数の固定具を備える防水構造体。
【請求項９】
前記防水シートの面ファスナーは、ピン状の突起本体と、前記突起本体の先端部に設けられ、前記固定具の面ファスナーと係合する頭部とを有する複数の突起を備える請求項８に記載の防水構造体。
【請求項１０】
前記防水シートの面ファスナーは、前記固定具の面ファスナーと係合する繊維または複数のループ状の係合部を有する請求項８に記載の防水構造体。
【請求項１１】
前記面ファスナー付き防水シートの平面視での形状は、長方形をなしており、
前記固定具は、前記面ファスナー付き防水シートの長辺方向および短辺方向に沿ってそれぞれ複数個配置されている請求項８ないし１０のいずれかに記載の防水構造体。
【請求項１２】
前記固定具は、前記面ファスナー付き防水シートの長辺方向、短辺方向、または長辺方向と短辺方向のいずれかに沿って等間隔で配置されている請求項１１に記載の防水構造体。
【発明の詳細な説明】
【技術分野】
【０００１】
本発明は、固定具および防水構造体に関するものである。
【背景技術】
【０００２】
建造物の躯体、具体的には、例えば、建造物の屋上や屋根に、防水シートが設けられている。防水シートを建造物の躯体に設ける施工方法としては、例えば、下記の方法が用いられる（例えば、特許文献１参照）。
【０００３】
まず、建造物の躯体の上面の防水シートを設ける部位全体に、躯体側の面ファスナーを固着する。この場合、躯体の上面に下地層を設け、その下地層の上面に躯体側の面ファスナーを固着してもよい。
【０００４】
次に、防水シートと、防水シートの一方の面側に設けられた防水シート側の面ファスナーとを有する面ファスナー付き防水シートを用意しておき、その面ファスナー付き防水シートの防水シート側の面ファスナーを躯体側の面ファスナーに固定する。このようにして、建造物に対して防水シートが固定される。なお、前記面ファスナー付き防水シートおよび躯体側の面ファスナーにより、防水構造体が構成される。
【０００５】
しかしながら、このような従来の防水構造体では、建造物に対して防水シートの全面を固定するので、例えば、躯体の動きや下地の亀裂により、防水シートが破損するという問題がある。
【０００６】
また、建造物に対して防水シートの全面を固定するので、その防水シートを建造物に設ける作業に手間がかかり、また全面固定のためコストもかかるという問題がある。
【先行技術文献】
【特許文献】
【０００７】
【特許文献１】特開２０１０−２５５３３６号公報
【発明の概要】
【発明が解決しようとする課題】
【０００８】
本発明の目的は、防水シートの破損を防止することができ、また、防水シートを建造物に設ける作業を容易に行うことができる固定具および防水構造体を提供することにある。
【課題を解決するための手段】
【０００９】
このような目的は、下記（１）〜（１２）の本発明により達成される。
（１）  防水シートと、前記防水シートの裏面側に設けられた防水シートの面ファスナーとを有する面ファスナー付き防水シートを建造物に固定する固定具であって、
板片と、
前記板片の一方の面側に設けられ、前記建造物に前記板片を固定する固定部と、
前記板片の他方の面から突出し、前記防水シートの面ファスナーの一部に係合する複数の突起を有する固定具の面ファスナーと、を備える固定具。
【００１０】
（２）  前記突起は、ピン状の突起本体と、前記突起本体の先端部に設けられ、前記防水シートの面ファスナーと係合する頭部とを有する上記（１）に記載の固定具。
【００１１】
（３）  前記固定部は、前記板片を貫通して前記建造物に前記板片を固定する棒状部を有している上記（１）または（２）に記載の固定具。
【００１２】
（４）  前記板片は、樹脂材料で構成されている上記（１）ないし（３）のいずれかに記載の固定具。
【００１３】
（５）  前記板片は、樹脂材料で構成された第１の層と、金属材料で構成された第２の層とが積層された積層体であり、
前記突起は、前記第１の層から突出し、前記固定部は、前記第２の層側に設けられている上記（１）ないし（４）のいずれかに記載の固定具。
【００１４】
（６）  前記突起は、樹脂材料で構成され、前記板片の全部または一部と一体的に成形されたものである上記（１）ないし（５）のいずれかに記載の固定具。
【００１５】
（７）  前記板片の前記他方の面側に設けられ、前記固定具の面ファスナーと係合した前記防水シートの面ファスナーを接着する接着剤を有する上記（１）ないし（６）のいずれかに記載の固定具。
【００１６】
（８）  防水シートと、前記防水シートの裏面側に設けられた防水シートの面ファスナーとを有する面ファスナー付き防水シート、および、
上記（１）ないし（７）のいずれかに記載された複数の固定具を備える防水構造体。
【００１７】
（９）  前記防水シートの面ファスナーは、ピン状の突起本体と、前記突起本体の先端部に設けられ、前記固定具の面ファスナーと係合する頭部とを有する複数の突起を備える上記（８）に記載の防水構造体。
【００１８】
（１０）  前記防水シートの面ファスナーは、前記固定具の面ファスナーと係合する繊維または複数のループ状の係合部を有する上記（８）に記載の防水構造体。
【００１９】
（１１）  前記面ファスナー付き防水シートの平面視での形状は、長方形をなしており、
前記固定具は、前記面ファスナー付き防水シートの長辺方向および短辺方向に沿ってそれぞれ複数個配置されている上記（８）ないし（１０）のいずれかに記載の防水構造体。
【００２０】
（１２）  前記固定具は、前記面ファスナー付き防水シートの長辺方向、短辺方向、または長辺方向と短辺方向のいずれかに沿って等間隔で配置されている上記（１１）に記載の防水構造体。
【発明の効果】
【００２１】
本発明によれば、固定具の面ファスナーが防水シートの面ファスナーの一部と係合するので、防水シートの面ファスナーがその全面に亘って係合する場合に比べて、躯体の動きや下地の亀裂による防水シートの破損や損傷を防止または抑制することができる。
【００２２】
また、固定具の面ファスナーが防水シートの面ファスナーの一部と係合するので、防水シートの面ファスナーがその全面に亘って係合する場合に比べて、防水シートを建造物に設ける作業を容易かつ迅速に行うことができ、コストも格段に抑えることができる。
【図面の簡単な説明】
【００２３】
【図１】本発明の防水構造体の第１実施形態（固定具を躯体に設けた状態）を示す側面図である。
【図２】図１に示す防水構造体を躯体に設けた状態を示す側面図である。
【図３】図１に示す防水構造体を躯体に設けた状態を示す平面図である
【図４】本発明の防水構造体の第２実施形態における固定具を示す側面図である。
【図５】本発明の防水構造体の第３実施形態における固定具を示す側面図である。
【図６】本発明の防水構造体の第４実施形態（固定具のみ躯体に設けた状態）を示す側面図である。
【図７】本発明の防水構造体の第５実施携帯（固定具のみ躯体に設けた状態）を示す側面図である。
【発明を実施するための形態】
【００２４】
以下、本発明の固定具および防水構造体を添付図面に示す好適な実施形態に基づいて詳細に説明する。
【００２５】
＜第１実施形態＞
図１は、本発明の防水構造体の第１実施形態（固定具を躯体に設けた状態）を示す側面図、図２は、図１に示す防水構造体を躯体に設けた状態を示す側面図、図３は、図１に示す防水構造体を躯体に設けた状態を示す平面図である。
【００２６】
なお、以下では、図１および図２中の上側を「上」、下側を「下」、右側を「右」、左側を「左」として説明を行う。
【００２７】
図１〜図３に示す防水構造体１は、建造物の屋根や屋上等の躯体１０の上面に設けられる（敷設される）ものである。この防水構造体１は、面ファスナー付き防水シート２と、躯体１０の上面に固定され、面ファスナー付き防水シート２を躯体１０に固定する複数の固定具３とを有している。
【００２８】
なお、本実施形態では、躯体１０の上面に、直接、固定具３を固定しているが、これに限らず、例えば、躯体１０の上面に図示しない下地層を設け、その下地層を通して躯体１０に固定具３を固定してもよい。
【００２９】
下地層としては、特に限定されないが、例えば、躯体１０の上面に敷設された図示しない断熱材（断熱層）と、断熱材の上面に敷設された不燃性繊維を含有する図示しない不燃絶縁層（絶縁層）とで構成したもの等が挙げられる。
【００３０】
断熱材の構成材料としては、特に限定されず、例えば、ポリスチレンフォーム、ポリエチレンフォーム、ウレタンフォーム、フェノールフォーム等、合成樹脂の発泡成形体などが挙げられる。
【００３１】
また、不燃絶縁層としては、特に限定されず、例えば、不燃性繊維を含有する樹脂シート等が挙げられる。
【００３２】
また、下地層は、上記断熱層と絶縁層の２層で構成されているものに限定されず、１層で構成されていてもよく、また、３層以上で構成されていてもよい。
【００３３】
また、躯体１０の形態としては、特に限定されず、例えば、表面が凹凸の金属屋根である下地デッキプレート、フラットデッキプレート、瓦棒、ＲＣ（reinforced concrete）、ＡＬＣ（autoclaved light weight concrete）等が挙げられる。
【００３４】
面ファスナー付き防水シート２は、可撓性を有し、シート状をなしている。この面ファスナー付き防水シート２は、可撓性を有する防水シート４と、防水シート４の下面（裏面）側に設けられた面ファスナー（防水シートの面ファスナー）５とを備えている。なお、面ファスナー付き防水シート２については、後に詳述する。
【００３５】
固定具３は、板片６と、板片６の下面（裏面）（一方の面）側に設けられ、躯体１０に板片６を固定する固定部であるビス（棒状部）８と、板片６の上面（他方の面）から上方に向かって突出し、面ファスナー付き防水シート２の面ファスナー５の一部と係合する複数の突起７１を有する面ファスナー（固定具の面ファスナー）７とを備えている。
【００３６】
板片６の平面視での形状は、本実施形態では、円形をなしている。なお、板片６の平面視での形状は、円形には限定されず、この他、例えば、楕円形、三角形、四角形、五角形等の多角形等が挙げられる。
【００３７】
また、板片６の構成材料としては、特に限定されず、例えば、ＰＶＣ（ポリ塩化ビニル）、ＰＥ（ポリエチレン）、ＰＰ（ポリプロピレン）等の各種汎用樹脂材料が挙げられる。
【００３８】
また、板片６の中央部には、板片６をその厚さ方向（上下方向）に貫通する貫通孔６１が形成されている。
【００３９】
ビス８は、板片６の貫通孔６１に挿入して使用されるものであり、その基端部（上側の端部）に、貫通孔６１に挿入した際に板片６に係合する頭部（係合部）８１を有している。
【００４０】
板片６を躯体１０の上面に載置した状態で、ビス８を板片６の貫通孔６１に挿入し（貫通させ）、さらにビス８を所定方向に回転させて躯体１０に螺合し、これにより、板片６が躯体１０に固定される。なお、ビス８の上面と板片６の上面とで段差のない連続面が形成されることが好ましい。貫通孔６１の上面側の部分（ビス８の頭部８１と接触する部分）が金属で補強してあってもよい。また、前記ビス８により板片６が躯体１０に固定された状態から、ビス８を前記と逆方向に回転させると、ビス８が上方に移動し、そのビス８による板片６の躯体１０への固定が解除される。これにより、板片６を躯体１０から取り外すことができる。
【００４１】
なお、固定具３のビス８および貫通孔６１の数は、それぞれ、本実施形態では、１つであるが、これに限らず、複数であってもよい。
【００４２】
また、板片６は、樹脂材料と金属材料とが積層された積層体であってもよい。
また、固定部としては、前記ビス８には限定されず、その他、例えば、板片６に固着された棒状部や、板片６と一体的に形成された棒状部等が挙げられる。
【００４３】
面ファスナー７は、板片６の上面に、その板片６の上面から上方に向かって突出するように形成された複数の突起７１で構成されている。突起７１の構成材料としては、特に限定されず、例えば、ＰＶＣ（ポリ塩化ビニル）、ＰＥ（ポリエチレン）、ＰＰ（ポリプロピレン）等の各種汎用樹脂材料が挙げられる。また、本実施形態では、突起７１は、板片６と一体的に成形されたものである。なお、突起７１と板片６とを別々に形成し、後から互いを固着してもよいことは、言うまでもない。
【００４４】
突起７１は、ピン状の突起本体７１１と、突起本体７１１の先端部（上側の端部）に設けられ、面ファスナー５と係合する頭部７１２とを有している。したがって、固定具３上に面ファスナー付き防水シート２を載置し、面ファスナー付き防水シート２をその下方の固定具３に押し付けると、固定具３の面ファスナーの突起７１の頭部７１２と、後述する面ファスナー付き防水シート２の面ファスナー５の突起５３の頭部５３２とが係合し、面ファスナー付き防水シート２が躯体１０に固定される。また、前記面ファスナー付き防水シート２が躯体１０に固定された状態で、面ファスナー付き防水シート２を上方に引っ張り上げると、面ファスナー７の突起７１の頭部７１２と、面ファスナー５の突起５３の頭部５３２との係合が外れ、面ファスナー付き防水シート２が躯体１０から取り外される。
【００４５】
ここで、突起７１の配置は、特に限定されず、諸条件応じて適宜設定されるものである。本実施形態では、各突起７１は、図１中の左右方向に沿って等間隔で配置されており、また、図１の紙面に対して垂直な方向に沿って等間隔で配置されている。
【００４６】
また、突起７１の単位面積当たりの本数（配置密度）は、特に限定されず、諸条件応じて適宜設定されるものである。この場合、突起７１の単位面積当たりの本数は、例えば、１つの突起７１の面ファスナー５との接合力に応じて設定する。すなわち、前記接合力が強いほど、突起７１の単位面積当たりの本数は、少なく設定される。
【００４７】
なお、突起７１の単位面積当たりの本数は、１０〜１００本／ｃｍ２程度であることが好ましく、２０〜５０本／ｃｍ２程度であることがより好ましい。
【００４８】
また、突起７１の長手方向の長さＬ１は、特に限定されず、諸条件応じて適宜設定されるものであるが、０．１〜５ｃｍ程度であることが好ましく、０．２〜２ｃｍ程度であることがより好ましい。
【００４９】
ここで、突起７１の頭部７１２の形状は、球状、半球状、フック状等、面ファスナー付き防水シート２の面ファスナー５と固定される形状で有れば、特に限定されるものではない。
【００５０】
面ファスナー付き防水シート２は、防水シート４と、防水シート４の下面に固着された面ファスナー５とを備えている。面ファスナー５の防水シート４への固着方法は、特に限定されず、例えば、溶着、接着剤による接着等が挙げられる。
【００５１】
面ファスナー付き防水シート２の平面視での形状は、本実施形態では、長方形をなしている。なお、面ファスナー付き防水シート２の平面視での形状は、長方形には限定されず、この他、例えば、正方形等が挙げられる。
【００５２】
また、防水シート４の構成材料としては、特に限定されず、例えば、ＰＶＣ（ポリ塩化ビニル）、ポリオレフィン系樹脂、ポリウレタン樹脂等の各種一般的に防水材で使用している樹脂材料が挙げられる。
【００５３】
また、面ファスナー５は、可撓性を有する基板５１と、基板５１の下面から下方に向かって突出し、固定具３の面ファスナー７と係合する複数の突起５３で構成された面ファスナー本体５２とを備えている。突起５３は、ピン状の突起本体５３１と、突起本体５３１の先端部（下側の端部）に設けられ、面ファスナー７と係合する頭部５３２とを有している。
【００５４】
なお、面ファスナー本体５２については、前述した固定具３の面ファスナー７と同様であるので、その説明は、省略する。
【００５５】
また、防水構造体１における固定具３の配置、すなわち、面ファスナー付き防水シート２に対する固定具３の配置は、特に限定されず、諸条件応じて適宜設定されるものである。本実施形態では、固定具３は、面ファスナー付き防水シート２の長辺方向および短辺方向に沿ってそれぞれ複数個配置されている。また、固定具３は、防水構造体１の長辺方向にある一定の区画で等間隔に配置されており、また、面ファスナー付き防水シート２の短辺方向にある一定の区画で等間隔に配置されている。
【００５６】
また、固定具３の面ファスナー付き防水シート２の長辺方向のピッチＰ１は、特に限定されず、諸条件応じて適宜設定されるものであるが、５０〜２０００ｍｍ程度であることが好ましく、３００〜１５００ｍｍ程度であることがより好ましい。
【００５７】
また、固定具３の面ファスナー付き防水シート２の短辺方向のピッチＰ２は、特に限定されず、諸条件応じて適宜設定されるものであるが、５０〜２０００ｍｍ程度であることが好ましく、３００〜１５００ｍｍ程度であることがより好ましい。
【００５８】
なお、ピッチＰ１とピッチＰ２とは、同一であってもよく、また、異なっていてもよい。
【００５９】
以上説明したように、この防水構造体１によれば、固定具３の面ファスナー７が面ファスナー付き防水シート２の面ファスナー５の一部と係合するので、面ファスナー５がその全面に亘って係合する場合に比べて、躯体１０の動きや下地の亀裂による防水シートの破損や損傷を防止または抑制することができる。
【００６０】
また、固定具３の面ファスナー７が面ファスナー付き防水シート２の面ファスナー５の一部と係合するので、面ファスナー５がその全面に亘って係合する場合に比べて、防水シート４を建造物の躯体１０に設ける作業を容易かつ迅速に行うことができ、コストも格段に抑えることができる。
【００６１】
＜第２実施形態＞
図４は、本発明の防水構造体の第２実施形態における固定具を示す側面図である。なお、以下では、図４中の上側を「上」、下側を「下」、右側を「右」、左側を「左」として説明を行う。
【００６２】
以下、第２実施形態について、前述した第１実施形態との相違点を中心に説明し、同様の事項については、その説明を省略する。
【００６３】
図４に示す第２実施形態の防水構造体１では、固定具３の板片６は、樹脂材料で構成された第１の層６２と、金属材料で構成された第２の層６３とが積層された積層体で構成されている。これにより、板片６の剛性を高くすることができる。
【００６４】
なお、第１の層６２は、第２の層６３の上側に位置しており、突起７１は、第１の層６２から突出、すなわち第１の層６２の上面に、その第１の層６２の上面から上方に向かって突出するように形成されている。そして、ビス８は、第２の層６３側に設けられている。なお、板片６は、２層以上の積層体であってもよい。
【００６５】
また、本実施形態では、突起７１は、板片６の一部、すなわち第１の層６２と一体的に成形されたものである。なお、突起７１と第１の層６２とを別々に形成し、後から互いを固着してもよいことは、言うまでもない。
この防水構造体１によれば、前述した第１実施形態と同様の効果が得られる。
【００６６】
＜第３実施形態＞
図５は、本発明の防水構造体の第３実施形態における固定具を示す側面図である。なお、以下では、図５中の上側を「上」、下側を「下」、右側を「右」、左側を「左」として説明を行う。
【００６７】
以下、第３実施形態について、前述した第１実施形態との相違点を中心に説明し、同様の事項については、その説明を省略する。
【００６８】
図５に示す第３実施形態の防水構造体１では、固定具３は、板片６の上面（他方の面）側に設けられ、面ファスナー７の突起７１と係合した面ファスナー５の突起５３を接着する接着剤１１を有している。これにより、面ファスナー付き防水シート２を固定具３により強固に固定することができる。なお、接着剤１１としては、特に限定されず、各種のものを用いることができる。
この防水構造体１によれば、前述した第１実施形態と同様の効果が得られる。
【００６９】
＜第４実施形態＞
図６は、本発明の防水構造体の第４実施形態（固定具のみ躯体に設けた状態）を示す側面図である。なお、以下では、図６中の上側を「上」、下側を「下」、右側を「右」、左側を「左」として説明を行う。
【００７０】
以下、第４実施形態について、前述した第１実施形態との相違点を中心に説明し、同様の事項については、その説明を省略する。
【００７１】
図６に示す第４実施形態の防水構造体１では、面ファスナー付き防水シート２の面ファスナー５の面ファスナー本体５２ａは、固定具３の面ファスナー７の突起７１と係合する複数の繊維５４で構成されている。この繊維５４は、不規則にループを形成し、そのループと突起７１とが係合するようになっている。なお、１本の繊維５４により面ファスナー本体５２ａを構成してもよいことは、言うまでもない。
この防水構造体１によれば、前述した第１実施形態と同様の効果が得られる。
【００７２】
＜第５実施形態＞
図７は、本発明の防水構造体の第５実施形態（固定具のみ躯体に設けた状態）を示す側面図である。なお、以下では、図７中の上側を「上」、下側を「下」、右側を「右」、左側を「左」として説明を行う。
【００７３】
以下、第５実施形態について、前述した第１実施形態との相違点を中心に説明し、同様の事項については、その説明を省略する。
【００７４】
図７に示す第５実施形態の防水構造体１では、面ファスナー付き防水シート２の面ファスナー５の面ファスナー本体５２ｂは、固定具３の面ファスナー（固定具の面ファスナー）７の後述する突起７２と係合する複数のループ状の係合部５５を有している。
【００７５】
また、固定具３の面ファスナー７の突起７２は、ピン状の突起本体７２１と、突起本体７２１の先端部（上側の端部）に設けられ、面ファスナー５の係合部５５と係合するフック状部（頭部）７２２とを有している。
この防水構造体１によれば、前述した第１実施形態と同様の効果が得られる。
【００７６】
以上、本発明の固定具および防水構造体を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【００７７】
また、本発明は、前記各実施形態のうちの、任意の２以上の構成（特徴）を組み合わせたものであってもよい。
【００７８】
また、面ファスナー付き防水シート、固定具および防水構造体は、前記実施形態では、建造物の屋根や屋上等の躯体の上面に設けられるものであるが、本発明では、これに限定されず、建造物の他の部位に設けられるものでもよい。
【符号の説明】
【００７９】
１              防水構造体
２              面ファスナー付き防水シート
３              固定具
４              防水シート
５              面ファスナー（防水シート側）
５１            基板
５２、５２ａ、５２ｂ  面ファスナー本体
５３            突起
５３１          突起本体
５３２          頭部
５４            繊維
５５            係合部
６              板片
６１            貫通孔
６２            第１の層
６３            第２の層
７              面ファスナー（固定具側）
７１            突起
７１１          突起本体
７１２          頭部
７２            突起
７２１          突起本体
７２２          フック状部
８              ビス
８１            頭部
１０            躯体
１１            接着剤
Ｌ１            長さ
Ｐ１、Ｐ２      ピッチ
【図１】
2013133612.tif 000003
【図２】
2013133612.tif 000004
【図３】
2013133612.tif 000005
【図４】
2013133612.tif 000006
【図５】
2013133612.tif 000007
【図６】
2013133612.tif 000008
【図７】
2013133612.tif 000009